(57)【特許請求の範囲】
【請求項１】
装置に設けられた所定部を覆うためのカバーであって、
カバー本体と、
前記所定部を覆う閉位置と前記所定部を使用可能とする開位置との間で前記カバー本体を回動可能とするように前記装置に支持された回動部と、
前記回動部の近傍に配置され、前記装置の表面に当接して前記カバー本体の回動を規制するとともに、弾性変形することで前記カバー本体の回動を許容する規制部とを備え、
前記規制部は、カバー本体から延びる第１部分と、前記第１部分の先端から前記装置の表面側に延びる第２部分とを有しており、
前記規制部は、前記カバー本体が前記閉位置にあるときは前記第２部分が前記装置の表面に当接して前記カバー本体が前記開位置に回動するのを規制し、前記カバー本体が前記開位置にあるときは前記第１部分と前記第２部分の間の角部が前記装置の表面に当接して前記カバー本体が前記閉位置に回動するのを規制し、
前記回動部は前記カバー本体の一端側の両側部に設けられた一対の部分であり、
前記規制部は、前記カバー本体の前記一端側の前記一対の部分の中間に設けられており、前記１対の部分との間には切欠きが確保されている、
カバー。
【発明の詳細な説明】
【０００１】
【発明の属する技術分野】
本発明は、装置の所定部を覆うカバー、特に、所定部の使用時に開かれるカバーに関する。
【０００２】
【従来の技術】
電気機器等各種装置には、スイッチ等の操作部やコネクタ等の所定部にカバーを設けたものがある。その場合のカバーの目的は、不使用時に閉じてスイッチ等を使用不能にするとともに、使用時には開かれてスイッチ等を使用可能にすることにある。
【０００３】
例えば、接続パネルではコネクタにカバーが設けられている。このカバーは、コネクタにマイクロンホン等が接続されていない状態では、コネクタ内にゴミ等が入るのを防止することを目的としている。
【０００４】
また、放送用マイクロホン装置では、非常用・緊急放送用の非常スイッチにカバーが設けられている。このカバーは、通常放送状態では、非常用スイッチが誤操作されるのを防止することを目的としている。
【０００５】
ここで、カバーを設けた構造において、不使用時にカバーが簡単に開くようでは、防塵目的が達成されずあるいは誤操作の原因となるため好ましくない。また、使用時にカバーが簡単に閉じるようでは操作に支障をきたすため好ましくない。したがって、カバーは閉じている状態では所定以上の力が働くまでは開状態に移行せず、開いている状態では所定以上の力が働くまでは閉状態に移行しないように、カバーが各位置に保持されている必要がある。
【０００６】
【発明が解決しようとする課題】
前述の機能を実現するための従来の技術としては、例えば、カバーは、装置のベースに設けられた軸受け部に支持されて、ベースに平行な閉位置と、ベースに直立した開位置との間で回動可能となっている。カバー本体の回動を規制する規制構造としては、カバー本体の軸部分は断面が四角形状になっており、その軸部分の面部に当接する板ばねがベースから上方に延びて設けられている。すなわち、カバー本体を開位置と閉位置との間で回動させる場合には、カバーの軸部分の角部が板ばねを弾性変形させ、このときの板ばねからの反力がカバーの回動に対する抵抗力となる。このようにして、カバーは閉位置と開位置との間で回動が規制され、意図していない状態に移行しにくい。
【０００７】
しかし、以上に述べた構造では、板ばね等の弾性部材をベース面に設ける必要があり、部品点数が増え、構造が複雑になる。
本発明の課題は、カバーが所定位置に保持されることが可能な構造を簡単にすることにある。
【０００８】
【課題を解決するための手段】
請求項１に記載のカバーは、装置に設けられた所定部を覆うためのものであり、カバー本体と回動部と規制部とを備えている。回動部は、所定部を覆う閉位置と所定部を使用可能とする開位置との間でカバー本体を回動可能とするように装置に支持されている。規制部は、回動部の近傍に配置され、装置の表面に当接してカバー本体の回動を規制するとともに、弾性変形することでカバー本体の回動を許容する。規制部は、カバー本体から延びる第１部分と、第１部分の先端から装置の表面側に延びる第２部分とを有している。規制部は、カバー本体が閉位置にあるときは第２部分が装置の表面に当接してカバー本体が開位置に回動するのを規制し、カバー本体が開位置にあるときは第１部分と第２部分の間の角部が装置の表面に当接してカバー本体が閉位置に回動するのを規制している。回動部は、カバー本体の一端側の両側部に設けられた一対の部分である。規制部は、カバー本体の一端側の一対の部分の中間に設けられており、一対の部分との間には切欠きが確保されている。
【０００９】
このカバーでは、規制部によって、カバー本体は、閉位置にあるときは開位置に回動しにくく、開位置にあるときは閉位置に回動しにくい。特に、このカバーでは、カバーが自らの位置や姿勢を規制するための規制部を有しているため、部品点数が少なくなり構造が簡単になる。
規制部は装置の一部に当たって回動に対する抵抗力を発生する。
規制部は回動部から分離されて形成されているため、剛性が低くてたわみやすい。
【００１４】
【発明の実施の形態】
（１）第１実施形態
構造
図１は本発明の第１実施形態が採用された放送用マイクロホン装置１を示している。放送用マイクロホン装置１は、遠隔操作によってアンプの動作を制御するための装置であり、本体２と、本体２から延びるマイク３とから構成されている。また、本体２の上面を構成するベース４は樹脂製板状部であり、各種スイッチや表示部が配置されている。この実施形態においては、スイッチ等はメンブレンスイッチであり、ベース４の上面は全体的に概ね平坦面形状となっている。
【００１５】
次に、本体２のベース４上に設けられた非常用スイッチ構造５について説明する。非常用スイッチ構造５は、図２〜図４に示すように、非常用スイッチ６と、非常用スイッチ６を覆うためのスイッチカバー７と、スイッチカバー７を回動自在に支持するためのベース軸受け部８とから構成されている。
【００１６】
非常用スイッチ６は、非常・緊急放送時に使用される非常起動スイッチであり、通常放送時には使用されないものである。非常用スイッチ６は、図９に示すようにベース４面上に概ね面一に形成されたメンブレンスイッチであり、１対のベース軸受け部８（後述）の間に形成されている。非常用スイッチ６の周辺部においては、放送用マイクロホン装置１の本体２の内部が外部から隔離されており、埃等が侵入することがない。なお、図３，図４及び図９に示すように、非常用スイッチ６は本体２の左右方向に長く延びている。
【００１７】
ベース軸受け部８は、スイッチカバー７を回動自在に支持するための部分であり、図１０及び図１１に示すように、ベース４と一体成形され、ベース４の平坦な上面から上方に突出している。ベース軸受け部８は、非常用スイッチ６の両側方（図９の左右方向）に配置された１対の部分であり、各部分は非常用スイッチ６に沿って本体２の前後方向に長く延びている。ベース軸受け部８の各部分は、側方部３２と、側方部３２の後端部において側方部３２の側方向内側（互いに対向する側）に受け部３３とを有している。側方部３２は、互いに対向する側の面が上下方向及び前後方向にストレートな面となっている。受け部３３は側方部３２と一体ではあるが、側方部３２より低くなっている。
【００１８】
側方部３２において、受け部３３が形成された部分に対応する位置には、軸支孔３４が形成されている。軸支孔３４はスイッチカバー７の回動軸３０（後述）が挿入され支持される部分である。軸支孔３４は互いに対向する側に開口する部分を有しており、さらに、側方部３２内を延び、ベース４を貫通している。軸支孔３４の開口部分は上部分が半円形形状を有している。この軸支孔３４は、開口部において両側からの金型が当接する食い切りという構成によって、容易に成形可能である。
【００１９】
スイッチカバー７は、非常用スイッチ６を覆うとともに開閉可能なカバーである。スイッチカバー７は、後述するように、閉位置及び開位置でそれぞれその状態を保持することが可能となっている。
【００２０】
スイッチカバー７は、ベース４上において、非常用スイッチ６の上方でかつベース軸受け部８の１対の部分間に配置されている。スイッチカバー７は本体２の左右方向に細長く延びる矩形形状の平板状部材である。スイッチカバー７は、ＡＢＳ樹脂等の樹脂材料によって全体が一体成形されており、主に、カバー本体１１と、回動部１２と、規制部１３とから構成されている。カバー本体１１は、主に、板部２１と、板部２１の縁部からベース４側に延びる前縁カバー部２２，側縁カバー部２３を有している。カバー本体１１の側部つまり側縁カバー部２３はベース軸受け部８の１対の部分の側方部３２に近接している。また、前縁カバー部２２は、側縁カバー部２３に比べて短くなっており、ベース４との間に比較的大きな隙間を確保している。このため、操作者が指を隙間に入れてスイッチカバー７を開けやすい。
【００２１】
回動部１２は、カバー本体１１の後部角に設けられた１対の部分である。各回動部１２は、板部２１から後方に延びる突出部２９と、突出部２９から側方向外側に突出する回動軸３０とから構成されている。突出部２９は、図８に示すように側方向から見て円形であり、受け部３３上に配置され支持されている。回動軸３０は軸支孔３４の開口部分に挿入され支持されている。具体的には、回動軸３０は軸支孔３４の開口部分の上側に当接した状態を保っている。
【００２２】
以上に述べた回動部１２とベース軸受け部８との係合によって、カバー本体１１を含むスイッチカバー７全体が回動部１２を中心として回動可能となっている。なお、回動軸３０は軸支孔３４に対して嵌合して密閉度が高いため、ベース４内部の電気回路に対する防塵性は維持されている。
【００２３】
規制部１３は、カバー本体１１の後部側に設けられた部分であり、カバー本体１１を含むスイッチカバー７全体が開位置又は閉位置にある場合に、その動きを規制することでその位置に保持するための部分である。規制部１３は、カバー本体１１から延びる第１部分２６と、その先端からベース４側に延びる第２部分２７とから構成されている。第１部分２６は、カバー本体１１から平行に延びる矩形板形状部分であり、カバー本体１１よりわずかに短い側方向長さと、１／３程度の前後方長さを有している。また、第２部分２７は、第１部分２６から延びる矩形形状部分であり、第１部分２６の全体にわたって形成されている。
【００２４】
以上に述べた構造において、スイッチカバー７のカバー本体１１はベース４の上方に所定距離を空けて配置され、平坦なベース４に対して概ね平行に延びている。したがって、第２部分２７はベース４に対して垂直に延びている。この実施形態においては、第２部分２７の先端部はベース４に当接しているが、わずかに離れて配置されていてもよい。
【００２５】
また、回動部１２と規制部１３はカバー本体１１からそれぞれ独立して後方に延びているため、両者の間には切欠き１４が形成されている。切欠き１４は図６の平面図において前後方向に細長い隙間になっている。この結果、回動部１２と規制部１３はともに剛性が低くなり、バネ性が向上している。特に、回動部１２は、先端側が互いに接近する方向（図６の矢印Ａ側）にたわみやすくなっており、回動軸３０を軸支孔３４に嵌合する操作が容易になっている。すなわち、切欠き１４によってスイッチカバー７の組み付け性が向上している。また、規制部１３は、後述するようにスイッチカバー７の面上下方向（図８の矢印Ｂ側）にたわみやすくなっている。以上をまとめると、切欠き１４を設けることで、規制部１３のたわみと回動部１２のたわみとを同時に実現している。
【００２６】
開閉動作
次に、図１２〜図１９を用いて、スイッチカバー７の開閉動作について説明する。なお、図１２〜図１９は開閉動作を説明するために用いられる模式図である。
【００２７】
図１２は、スイッチカバー７の閉状態を示している。この状態で、カバー本体１１はベース４の上面から所定距離離れた位置に平行に配置され、規制部１３の第２部分２７は回動軸３０に対して非常用スイッチ６から離れる側に位置している。なお、スイッチカバー７は回動軸３０を中心に本体２の前後方向に回動可能であり、スイッチカバー７の回動方向開側を矢印Ｒ１で示し、スイッチカバー７の回動方向閉側を矢印Ｒ２で示している。
【００２８】
図１２の閉状態から、スイッチカバー７をＲ１側に回動させる。所定角度回動すると、図１３に示すように、規制部１３の第２部分２７がベース４に当接する。このようにベース４が規制部１３に干渉するため、所定の力以下であれば、スイッチカバー７は、Ｒ１側に図１３以上に開くことができず、また、力を加えることをやめると図１２の状態に戻る。すなわち、基本的には、スイッチカバー７は図１２の閉状態を維持している。
【００２９】
スイッチカバー７に対して所定以上の力を加えると、図１３の状態からさらに図１４の状態に移行する。図１４では、規制部１３がベース４に当接することで点線の位置から実線の位置に変形又は移行する。すなわち、規制部１３はベース４からの反力によってカバー本体１１の外面側に弾性変形する。より具体的には、規制部１３において、第２部分２７は先端部がカバー本体１１の内面側に近づくように曲げられ、第１部分２６は先端部がカバー本体１１の外面側に反り返るように曲げられる。このとき、第２部分２７の先端部はベース４から摩擦抵抗を受けながらその上面を滑っていく。さらに力を加え続けると、図１５に示す９０度弱回動したところで、規制部１３は元の状態に戻りたわみが解消される。より詳細には、規制部１３のたわみ反力（復元力）がベース４からの摩擦力より大きくなることで、規制部１３の第２部分２７の先端部が、ベース４から外れて回動軸３０に対して非常用スイッチ６側に位置する。このとき、スイッチカバー７は、図１５に示すように、ベース４に対してほぼ直立した状態となる。このため、非常用スイッチ６は露出された状態になり、操作が可能となる。また、スイッチカバー７をさらにＲ１側に回動させると、９０度強回動したところで規制部１３の角部２８（第１部分２６と第２部分２７の境界部分）がベース４に当接する。このようにベース４が規制部１３に干渉するため、所定以下の力ではスイッチカバー７を図１６以上にＲ１側に回動させることはできない。
【００３０】
なお、図１５及び図１６の開状態において、所定以上の力をスイッチカバー７に対してＲ２側に加えると、規制部１３の第２部分２７の先端部がベース４に当接し、ベース４からの反力によって規制部１３が弾性変形する。このとき第２部分２７の先端はベース４から摩擦抵抗を受けながらその上面を滑っていく。一定の角度に達すると、規制部１３は元の状態に戻りたわみが解消される。より詳細には、規制部１３のたわみ反力（復元力）がベース４からの摩擦力より大きくなると、規制部１３の第２部分２７の先端部はベース４から外れ、回動部３０に対して非常用スイッチ６から離れた方向に位置する。すなわち、スイッチカバー７は図１２及び図１３に示す閉状態に戻る。
【００３１】
以上より、スイッチカバー７は図１５と図１６の状態の間で所定以上の力が作用するまでは開状態を維持することできる。なお、本実施形態において以上の状態が成立するためには、回動軸３０からベース４までの最短距離に対して、回動軸３０から第２部分２７の先端部までの距離と回動軸３０から規制部１３の角部２８までの距離とがそれぞれ長く、さらに、回動軸３０から第２部分２７の外側面までの最短距離が短いことが条件となっている。
【００３２】
なお、図１２の閉状態においては規制部１３の第２部分２７の先端部はベース４からわずかに離れているため、比較的開度が大きい図１３の状態まで、閉状態と保とうする規制力が働かないように描かれている。しかし、図１２の閉状態において規制部１３の第２部分２７の先端部をベース４の上面にほぼ当接させるようにしておくと、比較的スイッチカバー７の開度が少ない状態からスイッチカバー７に閉状態に保とうとする規制力が働くことになる。つまり、スイッチカバー７の閉状態での自由に回動できる角度が小さくなる。
【００３３】
図１５及び図１６に示された開状態からさらにスイッチカバー７を開く動作について説明する。スイッチカバー７に対してＲ１側に所定以上の力が作用すると、図１７に示すように、規制部１３の角部２８がベース４に当接し、さらに規制部１３は点線の状態から実線の状態に変形する。すなわち、規制部１３はベース４からの反力によってカバー本体１１の内面側に弾性変形する。このとき、角部２８はベース４からの摩擦力によってベース４の所定の位置に係止されている。さらに力を加え続けると、角部２８はベース４から外れて元の状態に戻る。より詳細には、規制部１３の弾性力がベース４からの摩擦力より大きくなると、規制部１３の角部２８はベース４に対して滑り、回動部３０に対して非常用スイッチ６側に位置する。図１８の状態からさらにスイッチカバー７をＲ１側に倒していくと、図１９に示すようにスイッチカバー７のカバー本体１１がベース４に対して平行に近接した状態になる。すなわち、スイッチカバー７は初期の開状態から概ね１８０度開いた状態になり、ベース４上方に直立した部材は存在しなくなる。なお、図１９の状態からスイッチカバー７をＲ２側に回動させようとしても、規制部１３の角部２８がベース４に当接するため、所定以下の力では元に戻せない。すなわち、スイッチカバー７は図１９に示す状態に保持されている。
【００３４】
なお、本実施形態においてカバーがほぼ９０度開いた状態とほぼ１８０度開いた状態との間での回動するのを規制するための構造として、第１部分２６の先端に第２部分２７と反対側に突出する突起を設けても良い。
【００３５】
以上に述べたようにスイッチカバー７が１８０度回動することが可能となっているのは、従来とは異なり、板ばね等が回動部分の後部に配置されていないためである。
【００３６】
効果
以上に述べたスイッチカバー７の開閉動作についてまとめて説明し、さらにスイッチカバー７の効果について説明する。
【００３７】
なお、以下の説明では、図１５又は図１６に示すスイッチカバー７がベース４に対して直立した状態を第１開状態と呼び、図１８又は図１９に示すスイッチカバー７がベース４に対して近接した状態を第２開状態と呼ぶ。また、開状態という概念は、第１開状態及び第２開状態の各々に適用される概念であり、また両開状態を含んだ意味でも用いられる。
【００３８】
スイッチカバー７は閉状態及び開状態において所定の力が作用するまではその状態を維持することができる。具体的には、スイッチカバー７は、閉状態にあっては他の状態である第１開状態に移行しにくく、第１開状態にあっては他の状態である閉状態や第２開状態に移行しにくく、第２開状態にあっては他の状態である第１開状態に移行しにくい。このことは、操作者がスイッチカバー７を状況に応じて好ましい状態に設定し、その状態が操作者の意図以外の理由で他の状態に移行しにくいことを意味している。このことは、電気機器の操作部や接続部等、誤操作や意図しない接触が好ましくなく、かつ、使用時には確実にカバーが開かれていることが必要なケースで必要とされる。特に、カバーが開いた状態では誤操作が生じやすいスイッチ等の操作部には有効である。
【００３９】
さらに、緊急用・非常用のスイッチでは、カバーの開状態及び閉状態でそれぞれの状態が確実に維持されることの必要性が高い。装置の通常使用時にスイッチが誤操作されて緊急状態の設定になることがあると装置の信頼性が低く評価されてしまい、他方で、装置の緊急使用時にカバーが閉じられてスイッチの迅速な使用が困難となると非常時の使用という目的が達成できないからである。
【００４０】
スイッチカバー７を各位置に保持するための保持力（ベース４からスイッチカバー７に作用する抵抗力）は、規制部１３の成形厚みや切欠き１４の大きさによって調整される。また、スイッチカバー７の保持位置や角度は、規制部１３の位置や形状、回動軸３０からの各部分の距離、さらにベース４の形状等によって決定される。
【００４１】
本発明の特徴は、スイッチカバー７自体が、自らの回動を規制するとともに所定以上の力が作用すると弾性変形して回動を許容する規制部１３を有していることにある。この構造によって、以下の有利な効果が得られる。
【００４２】
▲１▼ベース４側に板ばね等を設ける必要が無くなり、部品点数が少なくなる。このため製造コストが下がる。
▲２▼ベース４側に特別な構造を設ける必要が無くなり、構造が簡単になる。特に、本実施形態ではベース４にはベース軸受け部８を設けるだけでよく、スイッチカバー７の回動の規制はベース４の平坦面を利用できる。したがって、ベース４上でスイッチカバー７が回動する位置に突起や切欠きなどの構造を設ける必要がなくなり、カバー設置の設計自由度が高くなる。具体的には、カバーを含むスイッチ構造をベース上の任意の位置に設けやすくなっている。
【００４３】
さらには、構造が簡単になることによって各部分の耐久性が向上し、破損等が生じにくい。
▲３▼板ばねを設ける必要が無くなったため、スイッチカバー７のベース４に対する非常用スイッチ６やスイッチカバー７の高さを低くできる。従来であれば板ばねがベースに対して一定の高さを必要とするため、スイッチやカバーをベースに対して高く突出する位置に設ける必要があった。
【００４４】
▲４▼本実施形態のようにカバーが保持される開位置を複数有している場合は、カバーの開度を複数段階で調整できる。
（２）第２実施形態
図２０〜図２１に示す第２実施形態では、基本的な構造は前記第１実施形態と同様であるので、異なる点のみについて説明する。
【００４５】
本実施形態では、スイッチカバー７は角部２８がベース４に当接しないようになっている。具体的には、回動軸３０から角部２８までの距離が回動軸３０からベース４までの最短距離より短くなるように設定されている。
【００４６】
前記第１実施形態の図１５や図１６に示すにような直立状態からスイッチカバー７をＲ１側に回動していく。すると、ベース４から規制部１３に対する干渉がないため、スイッチカバー７は、スムーズに回動が進み、図２０，図２１，図２２の各状態に順番に移行していく。つまり、スイッチカバー７は、ベース４に対して直立した状態から、Ｒ２側には所定の力が作用するまで回動することはできないが、Ｒ１側にはスムーズに回動できる。
【００４７】
以上より、本実施形態においては、スイッチカバー７の「開状態」とは直立状態から図２２に示すような１８０度開状態までを含み、スイッチカバー７が「規制部１３によって開状態に保持される」とは直立状態からＲ２側には抵抗を受けずには回動できないことを意味する。
【００４８】
本実施形態においては、前記実施形態の場合も同様であるが、スイッチカバー７が１８０度まで回動できるため、スイッチカバー７の回動部１２やベース軸受け部８に対して大きな力が作用することがない。したがって、回動部１２等が破損しにくい。
（３）他の実施形態
前記実施形態では、規制部１３がベース４からの反力によって弾性変形することで回動を許容しながら、回動の規制力として働くように構成したが、弾性変形するのは、規制部１３に限らず、軸支孔３４に嵌合する回動軸３０を含めた回動部１２からカバー本体１１を通じて規制部１３までの何れの部分、あるいは複数の部分がベース４からの反力によって弾性変形するように構成してもよい。
【００４９】
前記実施形態ではベース４は平坦面を構成していたが、本発明に係るカバーは平坦面以外の他の形状を有する装置の一部に設けることができる。
前記実施形態では規制部はカバー本体からの突起として構成されていたが、本発明はそのような形態に限定されない。
【００５０】
本発明に係るカバーは、緊急・非常用スイッチ以外の他のスイッチにも採用することができる。
本発明に係るカバーはコネクタ等の接続部にも採用できる。
【００５１】
本発明に係るカバーは壁等に取り付けられた装置の側壁にも採用できる。その場合カバーは重力に対しても抵抗力を発生して開位置及び閉位置でそれぞれ保持されている。
【００５２】
【発明の効果】
本発明に係るカバーでは、カバーが自らの位置や姿勢を規制するための規制部を有しているため、部品点数が少なくなり構造が簡単になる。
【図面の簡単な説明】
【図１】本発明の一実施形態が採用されたマイクロホン装置の斜視図。
【図２】本発明の一実施形態が採用されたカバー構造の斜視図であり、カバーが閉じられた状態を示す図。
【図３】本発明の一実施形態が採用されたカバー構造の斜視図であり、カバーがわずかに開いた状態を示す図。
【図４】本発明の一実施形態が採用されたカバー構造の斜視図であり、カバーを取り去った状態を示す図。
【図５】スイッチカバーの背面図であり、図６のV矢視図。
【図６】スイッチカバーの平面図。
【図７】スイッチカバーの正面図であり、図６のVII矢視図。
【図８】スイッチカバーの側面図であり、図６のVIII矢視図。
【図９】非常用スイッチの平面図。
【図１０】図９のX-X断面図。
【図１１】図９のXI-XI断面図。
【図１２】第１実施形態においてカバー開閉動作を説明するための模式図。
【図１３】第１実施形態においてカバー開閉動作を説明するための模式図。
【図１４】第１実施形態においてカバー開閉動作を説明するための模式図。
【図１５】第１実施形態においてカバー開閉動作を説明するための模式図。
【図１６】第１実施形態においてカバー開閉動作を説明するための模式図。
【図１７】第１実施形態においてカバー開閉動作を説明するための模式図。
【図１８】第１実施形態においてカバー開閉動作を説明するための模式図。
【図１９】第１実施形態においてカバー開閉動作を説明するための模式図。
【図２０】第２実施形態においてカバー開閉動作を説明するための模式図。
【図２１】第２実施形態においてカバー開閉動作を説明するための模式図。
【図２２】第２実施形態においてカバー開閉動作を説明するための模式図。
【符号の説明】
１    マイクロンホン装置（装置）
４    ベース
５    非常用スイッチ構造
６    非常用スイッチ（所定部）
７    スイッチカバー（カバー）
８    ベース軸受け部
１１    カバー本体
１２    回動部
１３    規制部
【図１】
0004261076.tif 000002
【図２】
0004261076.tif 000003
【図３】
0004261076.tif 000004
【図４】
0004261076.tif 000005
【図５】
0004261076.tif 000006
【図６】
0004261076.tif 000007
【図７】
0004261076.tif 000008
【図８】
0004261076.tif 000009
【図９】
0004261076.tif 000010
【図１０】
0004261076.tif 000011
【図１１】
0004261076.tif 000012
【図１２】
0004261076.tif 000013
【図１３】
0004261076.tif 000014
【図１４】
0004261076.tif 000015
【図１５】
0004261076.tif 000016
【図１６】
0004261076.tif 000017
【図１７】
0004261076.tif 000018
【図１８】
0004261076.tif 000019
【図１９】
0004261076.tif 000020
【図２０】
0004261076.tif 000021
【図２１】
0004261076.tif 000022
【図２２】
0004261076.tif 000023